(57)【要約】  機材バッグと共に使用されて、該バッグを区画へと分割し、且つ、バッグの内容物を保護するインサート・キットが提供される。上記バッグの内側周縁部の回りには境界インサートが載置され得ると共に、仕切りインサートは、水平、垂直に載置され得るか、または、所望の角度的もしくは弧状の形態へと撓曲され得る。各インサートの面は、ループ材料により覆われる。各インサートの一つ以上の端縁部分は、各インサートが種々の位置において相互に対して付着し得る様に、上記ループ材料と相補的であるフック材料を有する。機材の使用の間において装着され得ることで該機材の使用を促進し得るべく機材を担持するバックパックも包含される。【選択図】図１
2015536187.tif 000002
【特許請求の範囲】
【請求項１】
収容器を形成する外殻体であって、
該外殻体は、各壁部、床部、及び、頂部を有し、
前記各壁部は、内側面を有し、
対向する少なくとも２つの壁部の内側面は、フックを有する材料が付着し得るループを有する材料を備える、
という外殻体と、
複数個のインサートであって、
該複数個のインサートの各々は、面を有し、
各面の少なくとも相当の部分は、ループ材料を有し、
各インサートは、対置された端縁部分を有し、
前記端縁部分は、前記インサート面のループ材料に対して付着し得るフック材料を有し、
前記各インサートは、前記フック材料及びループ材料の接続に依り複数の位置において、外殻体壁部に対しまたは他のインサートに対し、挿入可能であるべく、且つ、固着可能であるべく、サイズ設定される、
という複数個のインサートと、
を備える、バッグ。
【請求項２】
当該バッグは、実質的に矩形の形状を形成する４つの壁部を有し、且つ、
各壁部は、その面の相当の部分にわたり延在するループ材料を有する、請求項１に記載のバッグ。
【請求項３】
前記複数個のインサートの前記各端縁部分のみが、フック材料を有する、請求項１に記載のバッグ。
【請求項４】
当該撓曲可能インサートの長手中心線に関し、対置された各端部が逆方向に曲がるという位置を含む複数の位置へと曲がり得る少なくとも一つの撓曲可能インサートを更に備える、請求項１に記載のバッグ。
【請求項５】
一つ以上のインサートは、各端縁部分が、対向する壁部の各々に対して付着する様に、一つの壁部面から対向する壁部面まで測定された前記外殻体の幅もしくは長さの寸法に張りわたるべくサイズ設定される、請求項１に記載のバッグ。
【請求項６】
一つ以上のインサートはポケットを含む、請求項１に記載のバッグ。
【請求項７】
バッグの前壁部、後壁部、及び、対向する各端壁部を実質的に覆うべくサイズ設定された一つ以上の境界インサートと、
複数個の付加的インサートと、
を備えるインサート・キットであって、
各境界インサート及び各付加的インサートは、面を有し、
各面は、ループ材料により実質的に覆われ、
各付加的インサートは、対置された端縁部分を有し、
各端縁部分は、前記インサート面のループ材料に対して付着し得るフック材料を有し、且つ、
各付加的インサートは、前記フック材料及びループ材料の接続に依り複数の位置において、バッグ内に挿入可能であるべく、且つ、他のインサートに対して固着可能であるべく、サイズ設定される、
インサート・キット。
【請求項８】
各付加的インサートは、ループ材料により実質的に覆われた第2面を有する、請求項７に記載のキット。
【請求項９】
各面が、ループ材料による少なくとも75％の被覆範囲を有するインサートを有する、請求項７に記載のキット。
【請求項１０】
各面が、ループ材料による少なくとも95％の被覆範囲を有するインサートを有する、請求項７に記載のキット。
【請求項１１】
前記各端縁部分上の前記フック材料は、該端縁部分の直線状部分の実質的に全長にわたり延在する、請求項７に記載のキット。
【請求項１２】
当該撓曲可能インサートの長手中心線に関し、対置された各端部が逆方向に曲がるという位置を含む複数の位置へと曲がり得る少なくとも一つの撓曲可能インサートを更に備える、請求項７に記載のキット。
【請求項１３】
請求項７記載のインサート・キットを備える、バッグ。
【請求項１４】
底部収容器部分に対して水平に接合された頂部収容器部分を有する収容器部分であって、前記頂部収容器部分は、前記底部収容器部分から離間して回転されたときに該底部収容器部分が完全開口を有する様に、片側において前記底部部分に対して枢着される、という収容器部分と、
装着帯であって、
当該バックパックの後側部分から延出する前側パネル部分と、
前記前側パネル部分から延出し、装着者の右肩上に延出すべく位置決めされた第１ストラップと、
前記前側パネル部分から延出し、装着者の左肩上に延出すべく位置決めされた第２ストラップと、
バッグの底部部分から延出し、装着者の回りに延出すべく構成されたウエスト・バンドと、
を備える、という装着帯と、
を備える、バックパック。
【請求項１５】
前記頂部は、開かれたときに、実質的に水平に配設されたままとされることで、それが物体を支持する架台の役割を果たすことが可能とされる、請求項１４に記載のバックパック。
【請求項１６】
当該バックパックは、複数個のインサートを更に備え、
前記複数個のインサートの各々は、面を有し、
各面の少なくとも相当の部分は、ループ材料を有し、
各インサートは、対置された端縁部分を有し、
前記端縁部分は、前記インサート面のループ材料に対して付着し得るフック材料を有し、
前記各インサートは、前記フック材料及びループ材料の接続に依り複数の位置において、前記収容器内に挿入可能であるべく、且つ、他のインサートに対して固着可能であるべく、サイズ設定される、
請求項１４に記載のバックパック。
【発明の詳細な説明】
【技術分野】
【０００１】
本出願は、2012年10月24日に出願されると共に“再構成可能バッグ(Reconfigurable Bag)”という名称を有する米国仮出願第61/717,867号の優先権を主張する。
【背景技術】
【０００２】
カメラ機材の如き脆弱な物体は、搬送及び使用の間において該機材を好適に収容するに適したバッグ内に担持されることが多い。硬質の外殻体(shell)を備えるバッグの如き堅固なバッグは、機材を搬送するためには好適であり得るが、特定の用具に対して設計されることが多く、且つ、担持するには高重量であり得る。更に軟質のバッグは、種々の形状、サイズ及び個数の物体を保持することが可能であり得るが、精巧な対象物を所望程度まで保護しないこともある。
【発明の概要】
【発明が解決しようとする課題】
【０００３】
故に、機材を保護し、特定の用具に対して形状化されるのではなく、且つ、現在において入手可能なバッグよりも融通性がある、というバッグに対する要望が在る。
【課題を解決するための手段】
【０００４】
本発明の実施形態は、機材バッグと共に使用されて、該バッグを区画へと分割し、且つ、バッグの内容物を保護するインサート・キットを包含する。本発明は更に、インサートを備えるバッグ、及び、機材を担持するバックパックを包含する。
【０００５】
インサートとしては、バッグの内側周縁部の回りに載置されるべき境界インサート、及び、水平、垂直に載置され得るか、または、所望の角度的もしくは弧状の形態へと撓曲され得る仕切りインサートが挙げられる。境界インサートもしくは仕切りインサートは、一つ以上のポケットを含み得る。
【０００６】
各インサートの面は、ループ材料により覆われる。各インサートの一つ以上の端縁部分は、各インサートが、相互に対して、または、バッグがループ材料により内張りされているなら、該バッグの内張りに対して付着し得る様に、上記ループ材料と相補的であるフック材料を有し得る。
【０００７】
機材の使用の間において装着され得ることで該機材の使用を促進し得るべく機材を担持するバックパックも開示される。本明細書中では“バックパック”と称されるが、上記バッグは、ユーザの前側または後側に装着され得る。前側に装着されたときには、開かれたときにバッグの水平断面の全てまたは実質的に全てが開かれる様に底部部分に対して頂部部分を枢着することにより、内容物に対する容易なアクセスが提供される。上記頂部部分及び底部部分は両方とも、機材及びインサートを収容すべく構成され得る。
【０００８】
本発明の代表的実施形態は、添付図面と共に読破されたときに以下の詳細な説明から最適に理解される。
【図面の簡単な説明】
【０００９】
【図１】本発明の代表的実施形態に係るインサートを備えたバッグを示す図である。
【図２】本発明の更なる代表的実施形態に係るインサートを備えたバッグを示す図である。
【図３】本発明の代表的実施形態に係る一群のインサートを示す図である。
【図４Ａ】本発明の代表的実施形態に係るバックパックを示す図である。
【図４Ｂ】本発明の代表的実施形態に係るバックパックを示す図である。
【図５】本発明の代表的実施形態に係るインサートを含むバックパックを示す図である。
【図６】本発明の代表的実施形態に係るインサートの概略的断面図である。
【発明を実施するための形態】
【００１０】
各々が要素の異なる組み合わせを有するという本発明の種々の実施形態が記述される。本発明は、開示された特定実施形態に限定されるものでなく、且つ、開示された要素の異なる組み合わせを含み得るか、幾つかの要素及び／または斯かる構造の同等物を省略し得る。
【００１１】
図１は、本発明の代表的実施形態に係るバッグ1、すなわち“外殻体”を示しており、その中には、カメラ機材の如き物体が担持され得る。相対する端壁部4、5に当接して、境界インサート2、3が夫々配設される。後側バッグ壁部7に当接して境界インサート6が配設され、且つ、前側バッグ壁部9に当接して境界インサート8が配設される。もし、バッグの内壁部が、仕切りインサートに適合する材料であって、以下に記述される如き境界インサートの利点を提供するという材料を有するなら、各境界インサートは必要とされないこともある。各境界インサートはまた、側壁に対して接続された前壁部の如く、相互に対して永続的に接続されても良い。全ての４つの境界壁インサートを含め、任意数の境界インサートが接続され得る。バッグ床部インサートもまた、配備され得る。
【００１２】
上記バッグを構成もしくは再構成すると共に、その内容物を保護かつ整理すべく、一群の仕切りインサート10、11、12が含まれ得る。各インサートは、精巧な機材に対して特に適している、と言うのも、それらは、各物体を相互から分離すると共に、それらの間にパッドを提供し得るからである。各インサートは、図１に示された如く直立して、または、バッグ内に階層を生成すべく水平に、配設され得る。各インサートはまた、相互に関して種々の角度にても載置され得る。少なくとも一つのパッド入りインサート13が配備され得る。代替的に、または、付加的に、仕切りインサートまたは境界インサートのいずれか、または、全てが、パッド入りとされ得る。
【００１３】
図１はまた、ポケット・インサート14、及び、図中に示された如く当該撓曲可能インサートの長手中心線に関し、対置された各端部が逆方向に曲がるという位置を含む複数の位置へと曲がり得る撓曲可能インサート15も示している。この撓曲可能インサートは、示された如く折り曲げられることで１個より多い区画を形成し得るか、または、該撓曲可能インサートは、それが適切な材料を内包するなら、保護のために物体の回りに巻き付けられるべく、且つ／又は、それを壁部もしくは他のインサートに対して固定すべく、使用され得る。
【００１４】
ポケット・インサートは、閉じることが可能であるか可能でないという単一のポケットを含み得るか、または、例えば筆記具を保持する複数のポケットを含み得る。
【００１５】
図２は、本発明の代表的実施形態に係るバッグ1内の各インサートの別の構成を示している。図２は、凹状の構成へと撓曲された別の撓曲可能インサート16を示している。更に別の撓曲可能インサート17は、バッグ1の角隅部に位置決めされるに適した直角を形成すべく折り曲げられて示される。各撓曲可能インサートは、可撓性に関して多様とされ得ることから、異なる目的に対して使用され得る。各インサートは、剛性または半剛性とされ得る。各境界インサートは、好適には剛性であり、且つ、好適にはパッド入りとされる。剛性の仕切りインサートもまた、好適であり得る。各インサートは、種々の厚みのパッドを含み得るか、または、パッドを全く含まない。概略的に、カメラ機材の格納の如き用途に対しては、パッドが有用である。
【００１６】
図２は、ポケット19を有するインサート18を示している。インサート18は此処で、境界インサートの役割も果たしている。図２には、境界インサート20と前側バッグ壁部21との間のスペースが示され、それらの間にはポーチ22が挿入されている。
【００１７】
図３は、本発明の代表的実施形態に係る仕切りインサート23、24、25、26を示している。各仕切りインサート23、24、25、26は、面を有し、その少なくとも相当の部分は、自身上に延在するループ材料を有している。ループ材料によるインサート面の被覆の例示的範囲は、少なくとも75％及び少なくとも95％である。更なる実施形態において、上記面はループ材料により完全に覆われるが、端縁部分は他の材料で覆われ得る。上記ループ材料は、取付けメカニズムを形成すべくフック材料と相補的である、例えばVelcro（登録商標）またはVelcro（登録商標）状材料であり得る。それはまた、同様にフック材料と相補的なニット材料でもあり得る。上記ループ材料は、インサートの一面または両面上に配設され得る。
【００１８】
各境界インサートの代わりに、または、それに加え、上記バッグの各壁部は実質的にまたは完全にループ材料により覆われることで、以下において更に論じられる如く、種々のインサートが取付けられることを許容し得る。
【００１９】
各インサート23、24、25、26は、該インサートの対置端縁部分上に配設されたフック材料を含む。例えば、仕切りインサート23は、他の仕切りインサートもしくは境界インサートのループ材料に対して付着し得るフック材料の如き材料内に覆われて示された端縁部分27、28を含んでいる。各端縁部分上のフック材料は、該端縁部分の実質的に全長にわたり、または、全長未満にわたり、延在し得る。端縁部分上のフック材料の例示的な広がりは、約50％〜約100％、約60％〜約80％、及び、約65％〜約75％である。単一の端縁部分、または、２つもしくは３つの端縁部分もまた、フック材料により覆われる個数であり得るが、概略的には、多くの目的に対し、２つで十分であろう。フック材料を有さない他の端縁もしくは端縁の部分は、例えば、芯材形成(webbing)または結合のための材料を含み得る。斯かる材料は、フック材料の下側にも配設され得る。尚、上記ループ材料は、上記端縁まで延在し得る。
【００２０】
例えば、仕切りインサート24は、それが境界インサートもしくはバッグ壁部に対して付着して垂直位置を維持することを支援する付加的なフック材料を端縁部分29上に有することで利益を獲得し得る。同様に、仕切りインサート25もまた、端縁部分30上に配設されたフック材料から利益を獲得し得る。全ての端縁上にフック材料を配備すると、仕切りは更に多用途的とされ得る。但し、露出されたフック材料は一定の場合にバッグの内容物に対して不都合に相互作用することがあり得る、と言うのも、それは種々の形式の表面を把持し易いからである。
【００２１】
図２に示された頂部内側面31もまた、フック材料を有するポケット・インサートまたは他の構成要素が該頂部内側面に対して付着し得る様に、該頂部内側面の全てまたは一部にわたり延在するループ材料を有し得る。
【００２２】
上記各インサートは、フック材料及びループ材料の接続に依り複数の位置において、バッグ壁部、境界インサート、または、他のインサートに対し、挿入可能であるべく、且つ、取外し可能に固着可能であるべく、サイズ設定される。本発明の代表的実施形態において、一つ以上のインサートは、各端縁部分が、対向する壁部の各々に対して付着する様に、一つの壁部面から対向する壁部面まで測定された上記外殻体の幅もしくは長さの寸法に張りわたるべくサイズ設定される。
【００２３】
図４ＡからＢは、本発明の代表的実施形態に係るバッグのバックパック形態を示している。バックパック40は、収容器部分41をユーザの前側または後側のいずれかとして装着すべく設計される。収容器部分41は、ヒンジ構成要素を介して底部収容器部分43に対して水平に接合された頂部収容器部分42であって、それが邪魔にならないところに折返されることで、底部収容器部分43の内容物に対する広範なアクセスに対する実質的に完全な開口を生成することを許容するという頂部収容器部分42を有している。このことは、装着されている間は内容物に対して少ないまたは遮断的なアクセスを与えるという習用的なバックパックと異なっている。上記“ヒンジ”は、必要に応じて補強ありもしくはなしで、上記バッグを構成する如き材料で形成され得る。剛性形式のヒンジも使用され得る。
【００２４】
図４Ａは、頂部部分42が底部部分43の側部まで反転された開き形態におけるバックパック40の収容器部分41を示している。図４Ｂは、この場合にはジッパである閉じ機構を介して頂部部分42が底部部分43に対して固定された閉じ形態における収容器部分41を示している。図４ＡからＢは単一の頂部部分を示しているが、上記頂部部分は、底部部分43の内容物に対するアクセスのために邪魔にならないところに反転されるべく各々が枢着された一つより多いセグメントを備え得る。バックパック40は、剛性の支持構成要素を含むことで、開き位置に在るときに頂部部分42が実質的に水平のままとなることを促進し得る。頂部部分42が実質的に水平に配設されたままとされ且つ十分な支持構成要素を含むとき、それは物体を支持する架台の役割を果たし得る。
【００２５】
バックパック40は、頂部部分42の内容物に対するアクセスのために、該頂部部分42から少なくとも部分的に面44が分離可能となるべく設計され得る。代替的に、または、それに加え、面45は、内容物に対するアクセスのために開き得る。頂部部分42の内容物に対するアクセスは、開口または他の面を介しても提供され得る。頂部部分42を底部部分43に対して固定すべく、または、上記バックパックに取入れられた開口の内の任意の開口を閉じるべく、ジッパもしくはバックルの如き種々の機構が使用され得る。
【００２６】
バックパック40は、該バックパックを装着者に対して支持する装着帯45を有している。装着帯45は、収容器部分41の後部から延出する前側パネル46を有している。該前側パネル46からはショルダ・ストラップ47が延出すると共に、該ストラップは、装着者の右肩上に延出すべく位置決めされる。前側パネル46からは第2ストラップ48が延出すると共に、該ストラップは、装着者の左肩上に延出すべく位置決めされる。収容器部分41の底部領域からはウエスト・バンド49が延出すると共に、該バンドは、概略的にウエストと臀部との間にて装着者の回りに延出すべく構成される。前側パネル46は、それが上記収容器部分内の荷物を適切に支持するなら、種々の形態とされ得る。図５は、パッド入りとされ且つ腕孔を含み得るという更に頑丈な前側パネル58を有する装着帯を示している。
【００２７】
上記バックパックは、本明細書中に記述された如きインサートを含み得るか、それらと共に使用され得る。図５は、本発明の代表的実施形態に係るインサートを備えて開かれたバックパックを示している。頂部部分42は、底部部分43から回動して開かれている。ジッパ50は、閉じ位置において頂部部分42を底部部分43に固定すべく使用される。頂部部分42は、閉じ位置において蓋体52を固定すべく、ジッパ51を有している。蓋体52は、布地、または、他の適切なヒンジを介し、底部部分42に対して枢着される。面44は、当該布地上へとインサート・ポケット53が着脱自在に付着されるというフック適合布地を有している。付加的インサート54、55、56、57は、バックパック40の内部に対し、且つ、相互に対し、着脱自在に固着される。種々の個数及び形態のインサートが含まれ得る。
【００２８】
図６は、本発明の代表的実施形態に係るインサート60の概略的断面を示している。インサート60の各面上には、フック適合材料61が示される。各層61に隣接して該層の内部には、例えばウレタンの如き発泡体62の層が在る。各発泡体層62と相互作用すべく、Volara（登録商標）または他の同等の材料の様な海綿状ポリオレフィン発泡体の如き発泡体芯部63が配備される。
【００２９】
本発明は、カメラ機材を担持すべく設計された如きバッグにおいて使用されるべく、上記された如き複数の仕切りインサートを含むインサート・キットを包含する。該キットは、各インサートが付着し得るループ材料製の内側部を有するバッグにおいて使用され得る。あるいは、上記キットには、上述された如き境界インサートが含まれ得る。各キットは、サイズ及び形状が特定のバッグに対して適合し得るべく設計され得る。各キットはまた、種々のバッグ・サイズにおいて有用であるべく、汎用的にサイズ設定され得る。この用途に対しては、特に、撓曲可能インサートが有用である。種々のサイズのバッグにおいては、例えば、剛性のインサート及び撓曲可能なインサートの両方を含む単一キットが使用され得ることが多い。本発明の代表的実施形態において、キットは、バッグの前壁部、後壁部、及び、対向する各端壁部を実質的に覆うべくサイズ設定された４個の境界インサートと、以下の幾つかまたは全てを含み得る複数の付加的なインサートとを備え、または、それらから成る：撓曲可能なもしくは剛性であり且つパッド入りとされもしくはされない仕切りインサート、及び、閉じ可能であるかまたは可能でないポケット・インサート。各インサートは、フック材料及びループ材料の接続に依り複数の位置において、バッグまたは他のインサートに対し、挿入可能であり、且つ、取外し可能に固着可能である。
【００３０】
本発明は代表的実施形態により記述されてきたが、当業者であれば、付加的な利点及び改変は想起されよう。故に、本発明はその更に広範な見地において、本明細書中に示され且つ記述された特定の形態に限られない。本発明の精神及び有効範囲から逸脱せずに、例えば、取付け機構の載置及び形式に対する改変が為され得る。従って、本発明は、特定の代表的実施形態に限定されるのではなく、添付の各請求項及びそれらの同等物の完全な精神及び有効範囲内で解釈されるべきことが意図される。
【図１】
2015536187.tif 000003
【図２】
2015536187.tif 000004
【図３】
2015536187.tif 000005
【図４Ａ】
2015536187.tif 000006
【図４Ｂ】
2015536187.tif 000007
【図５】
2015536187.tif 000008
【図６】
2015536187.tif 000009
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
実質的に矩形の収容器を形成する撓曲可能な外殻体であって、各壁部と、床部と、カバーとを有するという外殻体と、
別個に着脱自在な半剛性の境界インサートであって、対置された内側の２つの外殻体壁部と前記床部とを覆うべくサイズ設定されたという境界インサートと、
着脱自在に固着された少なくとも一つの半剛性の仕切りインサートと、
を備えるバッグであって、
前記境界インサート及び仕切りインサートの各々は、発泡体芯部を有し、
前記境界インサート及び仕切りインサートの各々は、その外側部上にニット材料を有し、
前記境界インサート及び仕切りインサートの各々は、面と、該面を縁取るべく対置された各長手端縁部分とを有し、
各インサート面の少なくとも相当の部分は、ニット材料により覆われ、
前記長手インサート端縁部分は、該端縁部分の50％〜100％に沿い、前記ニット材料に対して接触により付着可能なフック材料を備え、
前記フック材料は、該フック材料の折曲縁部が、前記インサート端縁部分上の前記フック材料の面領域から分離可能に、他の仕切りインサート及び境界インサート上のニット材料に対して付着可能である様に、前記インサートの前記縁部上に折返されており、
前記少なくとも一つの仕切りインサートの内の少なくとも一つは、境界インサートと同一寸法にサイズ設定される、バッグ。
【請求項２】
前記少なくとも一つの仕切りインサートの内の少なくとも一つは、可撓的であり、且つ、対象物を囲繞して直角を形成しまたは平面を形成すべくサイズ設定される、請求項１に記載のバッグ。
【請求項３】
一つ以上のインサートはポケットを含む、請求項１に記載のバッグ。
【請求項４】
形状が矩形である少なくとも一つの付加的インサートであって、指定された実質的に平行な複数の間隔にて少なくとも180°の回転距離だけ折曲げ可能であるという付加的インサートを更に備える、請求項１に記載のバッグ。
【請求項５】
バックパックの形態である請求項１に記載のバッグであって、
前記各壁部及び前記床部は、第1格納受容器を画成する底部収容器部分を画成し、
前記カバーは、前記底部収容器部分と水平に接合された第2格納受容器を画成する頂部収容器部分であり、前記頂部収容器部分及び底部収容器部分の各々は、４つの壁部と、床部とを備え、且つ、該床部と対置された開口を有し、
前記頂部収容器部分は、該頂部収容器部分が当該ヒンジ構成要素の回りで前記底部収容器部分から回転されたときに前記底部収容器部分が完全に開かれる様に、各収容器部分開口の片側にて前記底部収容器部分に対してヒンジ構成要素を介して枢着され、
当該バッグは、
前記頂部収容器部分開口の縁部に対して枢着されると共に、該頂部収容器部分に対して固定されることで、閉じられた収容器部分を生成し得る蓋体と、
前記頂部収容器部分を、枢着されない３つの縁部にて前記底部収容器部分に対して固定する固定構成要素と、
装着帯であって、
前記バックパックの後側部分から延出する前側パネル部分と、
前記前側パネル部分から延出し、装着者の右肩上に延出すべく位置決めされた第１ストラップと、
前記前側パネル部分から延出し、装着者の左肩上に延出すべく位置決めされた第２ストラップと、
当該バッグの底部部分から延出し、装着者の回りに延出すべく構成されたウエスト・バンドと、
を備える、という装着帯と、
を備え、
前記頂部収容器部分は、開かれたときに、実質的に水平に配設されたままとされる様に、十分に堅固な材料から成る、バッグ。
【請求項６】
各壁部と、床部と、カバーとを有する、実質的に矩形で撓曲可能な収容器のためのインサート・キットであって、
該インサート・キットは、
別個に着脱自在な半剛性の境界インサートであって、対置された内側の２つのバッグ壁部と前記床部とを覆うべくサイズ設定されたという境界インサートと、
着脱自在に固着された少なくとも一つの半剛性の仕切りインサートと、
を備え、
前記境界インサート及び仕切りインサートの各々は、発泡体芯部を有し、
前記境界インサート及び仕切りインサートの各々は、その外側部上にニット材料を有し、
前記境界インサート及び仕切りインサートの各々は、面と、対置された各長手端縁部分とを有し、
各インサート面の少なくとも相当の部分は、ニット材料により覆われ、
前記長手インサート端縁部分は、該端縁部分の50％〜100％に沿い、前記ニット材料に対して接触により付着可能なフック材料を備え、
前記フック材料は、該フック材料の折曲縁部が、他の仕切りインサート及び境界インサート上のニット材料に対して付着可能である様に、前記インサートの前記縁部上に折返されており、
前記少なくとも一つの仕切りインサートの内の少なくとも一つは、境界インサートと同一寸法にサイズ設定される、インサート・キット。
【請求項７】
前記少なくとも一つの仕切りインサートの内の少なくとも一つは、可撓的であり、且つ、対象物を囲繞して直角を形成しまたは平面を形成すべくサイズ設定される、請求項６に記載のキット。
【請求項８】
各付加的インサートは、ニット材料により実質的に覆われた第2面を有する、請求項６に記載のキット。
【請求項９】
各面が、ニット材料による少なくとも75％の被覆範囲を有するインサートを有する、請求項６に記載のキット。
【請求項１０】
各面が、ニット材料による少なくとも95％の被覆範囲を有するインサートを有する、請求項６に記載のキット。
【請求項１１】
形状が矩形である少なくとも一つの付加的インサートであって、指定された実質的に平行な複数の間隔にて少なくとも180°の回転距離だけ折曲げ可能であるという付加的インサートを更に備える、請求項６に記載のキット。
【国際調査報告】
2015536187.tif 000010